(57)【要約】【課題】デジタル放送番組の視聴中における受信状態を良好にし、ユーザによる安定した視聴が可能となるデジタル放送受信装置を提供する。【解決手段】本発明のデジタル放送受信装置は、放送波の受信及び選局を行うチューナと、放送波を復調してデジタル信号を生成する復調部とを備える。また、デジタル放送受信装置の各部を制御する制御部を備える。制御部は、コンテンツの題名または管理情報に対応するコンテンツである本編コンテンツを受信している本編期間を判別する。また、本編コンテンツを受信していない期間である本編外期間を判別する。更に制御部は、本編外期間において、放送波の受信状態が所定の第一指標よりも悪化した場合に、選局されている物理チャンネルと放送局識別情報が同じ、またはこの物理チャンネルと系列が同じである中継／系列局チャンネルを選局するよう、チューナを制御する。【選択図】図２
2012205224.tif 000002
【特許請求の範囲】
【請求項１】
放送波の受信及び選局を行うチューナと、前記放送波を復調してデジタル信号を生成する復調部とを備えるデジタル放送受信装置において、
前記デジタル信号に含まれるコンテンツのうちの本編コンテンツを受信している期間である本編期間と、前記本編コンテンツを受信していない期間である本編外期間とを判別し、前記本編外期間において前記放送波の受信状態が予め定められた第一指標よりも悪化した場合に、前記チューナにより選局されている物理チャンネルと放送局識別情報が同じ、または該物理チャンネルと系列が同じである中継／系列局チャンネルへ選局を行うよう前記チューナを制御する制御部を備えること、
を特徴とするデジタル放送受信装置。
【請求項２】
前記制御部は、前記放送波の受信状態が、前記第一指標よりも受信限界に近く設定されている第二指標よりも悪化した場合に、前記本編外期間であるか否かにかかわらず、前記中継／系列局チャンネルへ選局を行うよう前記チューナを制御すること
を特徴とする請求項１に記載のデジタル放送受信装置。
【請求項３】
前記制御部は、前記コンテンツに含まれる音声の種別、または前記コンテンツ含まれる映像の解析結果に基づいて、前記本編期間と前記本編外期間とを判別すること
を特徴とする請求項２に記載のデジタル放送受信装置。
【請求項４】
前記チューナは、選局指示された放送波を受信する第一チューナと、前記中継／系列局チャンネルを検出する第二チューナとを含み、
前記制御部は、前記第一チューナで受信されている放送波に含まれるコンテンツが前記本編外期間であり、且つ該放送波の受信状態が前記第一指標よりも悪化した場合に、前記第二チューナによって検出された前記中継／系列局チャンネルへ選局を行うよう前記第一チューナを制御すること、
を特徴とする請求項３に記載のデジタル放送受信装置。
【請求項５】
前記第二チューナは、前記第一チューナが放送波の受信及び選局を行っているか否かにかかわらず、放送波の受信帯域内の全ての物理チャンネルを順次選局し、全ての物理チャンネルについて、放送局を示す放送局識別情報、及び放送波の受信状態を示す受信状態情報を取得して前記中継／系列局チャンネルの検出を行うこと
を特徴とする請求項４に記載のデジタル放送受信装置。
【請求項６】
前記制御部は、複数の視聴階層を含む放送波を前記チューナにより受信した場合に、それぞれの視聴階層の変調方式または伝送パラメータに応じて、前記第一指標または前記第二指標を視聴階層毎に設定すること
を特徴とする請求項１〜請求項５のいずれかに記載のデジタル放送受信装置。
【発明の詳細な説明】
【技術分野】
【０００１】
本発明は、デジタル放送受信機能を有したカーナビゲーションシステムを始めとする、デジタル放送受信装置に関する。
【背景技術】
【０００２】
従来から、デジタル放送を移動しながら受信するデジタル放送受信装置が開発されており、例えば、地上デジタル放送受信機能を有したカーナビゲーションシステムが開発されている。
【０００３】
地上デジタル放送では、同じ放送局でも、中継局毎に異なる周波数で放送されている場合がある。この場合、受信装置が現在の放送エリアから他の放送エリアに移動した際、或いは放送エリア内であっても、地形や構造物等のために電波の影に移動した際に、受信状態が悪化し、それまで視聴していた番組が視聴できなくなってしまう。
【０００４】
そこで、例えば特許文献１には、視聴中の番組の受信状態が悪化すると、自動的に中継局サーチを開始し、中継局が見つかった場合は、その中継局を受信し、中継局が見つからなかった場合は、系列局サーチを開始し、同一系列の放送局が見つかった場合は、その放送局を受信するデジタル放送受信装置が開示されている。
【先行技術文献】
【特許文献】
【０００５】
【特許文献１】特開２００９−１８８８８０号公報
【発明の概要】
【発明が解決しようとする課題】
【０００６】
しかし、上記特許文献１のデジタル放送受信装置では、受信状態が悪化して初めてサーチを開始する。つまり、受信している番組が、番組本編であるか否かを考慮せずに選局動作を行っていた。
【０００７】
選局動作においては、受信可能な放送局が見つかり、再び視聴できるようになるまでに、ある程度の時間がかかる。このため、番組本編で選局動作が行われた場合、番組本編の映像／音声に途切れが発生して視聴の妨げとなり、ユーザが視聴したい場面を逃してしまう可能性があった。
【０００８】
本発明は、上記問題点を鑑み、ユーザがデジタル放送番組を視聴している状態における受信状態を良好にし、安定した視聴が可能であるデジタル放送受信装置を提供することを目的とする。
【課題を解決するための手段】
【０００９】
上記目的を達成するために本発明は、放送波の受信及び選局を行うチューナと、前記放送波を復調してデジタル信号を生成する復調部とを備えるデジタル放送受信装置において、前記デジタル信号に含まれるコンテンツのうち、前記コンテンツの題名または管理情報に対応するコンテンツである本編コンテンツを受信している期間である本編期間と、前記本編コンテンツを受信していない期間である本編外期間とを判別し、前記本編外期間において前記放送波の受信状態が予め定められた第一指標よりも悪化した場合に、前記チューナにより選局されている物理チャンネルと放送局識別情報が同じ、または該物理チャンネルと系列が同じである中継／系列局チャンネル（前記チューナの受信中チャンネルを含む）を選局するよう前記チューナを制御する制御部を備えることを特徴とする。
【００１０】
この構成によれば、本発明のデジタル放送受信装置は、放送波の受信及び選局を行うチューナと、放送波を復調してデジタル信号を生成する復調部とを備える。また、デジタル放送受信装置の各部を制御する制御部を備える。制御部は、デジタル信号に含まれるコンテンツのうち、コンテンツの題名または管理情報に対応するコンテンツである本編コンテンツを受信している本編期間を判別する。また、本編コンテンツを受信していない期間である本編外期間を判別する。更に制御部は、本編外期間において、放送波の受信状態が所定の第一指標よりも悪化した場合に、選局されている物理チャンネルと放送局識別情報（＝ネットワークＩＤ）が同じ、またはこの物理チャンネルと系列が同じである中継／系列局チャンネルを選局するよう、チューナを制御する。
【００１１】
また、上記構成において、前記制御部は、前記放送波の受信状態が、前記第一指標よりも受信限界に近く設定されている第二指標よりも悪化した場合に、前記本編外期間であるか否かにかかわらず、前記中継／系列局チャンネルを選局するよう前記チューナを制御することを特徴とする。
【００１２】
この構成によれば、制御部は、放送波の受信状態が、第一指標よりも受信限界に近く設定されている第二指標よりも悪化した場合に、本編外期間であるか否かにかかわらず、中継／系列局チャンネルを選局するよう前記チューナを制御する。
【００１３】
また、上記構成において、前記制御部は、前記コンテンツに含まれる音声の種別、または前記コンテンツ含まれる映像の解析結果に基づいて、前記本編期間と前記本編外期間とを判別することを特徴とする。
【００１４】
この構成によれば、制御部は、コンテンツに含まれる音声の種別、またはコンテンツ含まれる映像の解析結果に基づいて、本編期間と本編外期間とを判別する。
【００１５】
また、上記構成において、前記チューナは、選局指示された放送波を受信する第一チューナと、前記中継／系列局チャンネルを検出する第二チューナとを含み、前記制御部は、前記第一チューナで受信されている放送波に含まれるコンテンツが前記本編外期間であり、且つ該放送波の受信状態が前記第一指標よりも悪化した場合に、前記第二チューナによって検出された前記中継／系列局チャンネルを選局するよう前記第一チューナを制御することを特徴とする。
【００１６】
この構成によれば、チューナは、選局指示された放送波を受信する第一チューナと、前記中継／系列局チャンネルを検出する第二チューナとを含む。制御部は、第一チューナで受信されているコンテンツが本編外期間であり、且つ第一チューナの受信状態が第一指標よりも悪化した場合に、第二チューナによって検出された中継／系列局チャンネルを選局するよう、第一チューナを制御する。
【００１７】
また、上記構成において、前記第二チューナは、前記第一チューナが放送波の受信及び選局を行っているか否かにかかわらず、放送波の受信帯域内の全ての物理チャンネルを順次選局し、全ての物理チャンネルについて、放送局を示す放送局識別情報、及び放送波の受信状態を示す受信状態情報を取得して前記中継／系列局チャンネルの検出を行うことを特徴とする。
【００１８】
この構成によれば、第二チューナは、第一チューナが放送波の受信及び選局を行っているか否かにかかわらず、放送波の受信帯域内の全ての物理チャンネルを順次選局する。そして、全ての物理チャンネルについて、放送局を示す放送局識別情報、及び放送波の受信状態を示す受信状態情報を取得し、これらの情報に基づいて中継／系列局チャンネルの検出を行う。
【００１９】
また、上記構成において、前記制御部は、複数の視聴階層を含む放送波を前記チューナにより受信した場合に、それぞれの視聴階層の変調方式または伝送パラメータに応じて、前記第一指標または前記第二指標を視聴階層毎に設定することを特徴とする。
【００２０】
この構成によれば、制御部は、複数の視聴階層を含む放送波をチューナにより受信した場合に、それぞれの視聴階層の変調方式または伝送パラメータに応じて、第一指標または第二指標を視聴階層毎に設定する。
【発明の効果】
【００２１】
本発明のデジタル放送受信装置によれば、受信状態が第一指標を超えた場合に、本編外期間であれば選局を行う。そして更に受信状態が悪化し、第二指標を超えた場合に、本編外期間か否かにかかわらず選局を行う。つまり、ユーザが本編コンテンツを視聴している状態（＝本編期間）での選局を、できる限り避けるようにしている。これにより、選局動作に起因する映像の乱れが本編期間に発生する確率を低減し、ユーザが良好な状態で本編コンテンツを視聴できるようにしている。
【００２２】
また、第二チューナにより常に中継／系列局チャンネルを検出しておくことにより、本編外期間において、良好な受信状態の中継／系列局チャンネルへの選局を迅速に行うことができる。
【図面の簡単な説明】
【００２３】
【図１】本発明の一実施形態に係るデジタル放送受信装置のブロック構成図である。
【図２】受信状態、本編期間、及び選局タイミングの関係を示した模式図である。
【図３】本発明の一実施形態に係るバックグラウンドサーチの処理フローを示すフロー図である。
【図４】本発明の一実施形態に係る選局処理の処理フローを示すフロー図である。
【発明を実施するための形態】
【００２４】
以下に本発明の実施形態を、図面を参照して説明する。ここでは、スペースダイバーシティ方式のデジタル放送受信機能を有したカーナビゲーションシステムを一例として説明する。
＜全体構成について＞
図１に、本発明に係るカーナビゲーションシステム９０（＝デジタル放送受信装置）のブロック構成図を示す。カーナビゲーションシステム９０は、デジタル放送受信ブロック６０を備えており、カーナビゲーションシステム９０の電源が入っていれば、デジタル放送受信ブロック６０にも給電可能であるが、放送を視聴するか否かは視聴者の操作による。
【００２５】
デジタル放送受信ブロック６０は、視聴用受信回路ブロック７０と、サーチ用受信回路ブロック８０とを含んでおり、更に、Ｄ／Ａコンバータ１１、ＬＰＦ（ローパスフィルタ）／ドライバ１２、映像処理部１３、Ｄ／Ａコンバータ１４、ＬＰＦ／ドライバ１５を含む。視聴用受信回路ブロック７０は、視聴に用いられる受信回路であり、サーチ用受信回路ブロック８０は、後に詳述するバックグラウンドサーチに用いられる受信回路である。
【００２６】
視聴用受信回路ブロック７０は、視聴用のＤＴＶチューナ２、２’（チューナ、第一チューナ）と、復調／合成部３（＝復調部）と、オーディオフィルタ４と、オーディオデコーダ５と、ビデオフィルタ６と、ビデオデコーダ７と、データフィルタ８と、データデコーダ９とを含む。ＤＴＶチューナ２、２’には、それぞれ、車両に設けられる地上デジタル放送受信用のダイバーシティアンテナ１、１’が接続される。なお、オーディオデコーダ５とビデオデコーダ７は、それぞれ１２セグ放送用、１セグ放送用を備え、視聴に応じてベースバンド信号を切り替えて出力できるものとする。
【００２７】
ＤＴＶチューナ２、２’は、それぞれダイバーシティアンテナ１、１’から地上デジタル放送信号を受信し同一の物理チャンネル（周波数）で選局を行う。選局は、ＣＰＵ４９（＝制御部）から周波数データが送られることで行われる。復調／合成部３は、ＤＴＶチューナ２、２’から入力される選局された信号を復調、エラー訂正及び合成し、ＴＳ（トランスポートストリーム）信号（＝デジタル信号）を出力する。
【００２８】
オーディオフィルタ４は、ＴＳからオーディオデータのみを抽出し、オーディオデコーダ５は、抽出されたオーディオデータを復号しデジタルオーディオ信号を出力する。Ｄ／Ａコンバータ１１は、オーディオデコーダ５から入力されるデジタルオーディオ信号をアナログベースバンド信号に変換し、ＬＰＦ／ドライバ１２を介して端子Ａ−１に出力する。
【００２９】
ビデオフィルタ６は、ＴＳからビデオデータのみを抽出し、ビデオデコーダ７は、抽出されたビデオデータを復号しデジタル映像信号を出力する。映像処理部１３は、ビデオデコーダ７から入力されるデジタル映像信号の映像サイズを変更するスケーラ機能や、文字等を重畳するＯＳＤ（On Screen Display）機能を有する。Ｄ／Ａコンバータ１４は、映像処理部１３から入力される映像信号をアナログ映像信号に変換し、ＬＰＦ／ドライバ１５を介して端子Ｖ−１に出力する。
【００３０】
データフィルタ８は、伝送パラメータ、ＮＩＴ（Network Information Table）、番組情報（＝題名、管理情報）、データ放送等のデータをＴＳから抽出し、データデコーダ９は、抽出されたデータを復号する。
【００３１】
また、サーチ用受信回路ブロック８０は、バックグラウンドサーチ用のＤＴＶチューナ１６（＝チューナ、第二チューナ）と、復調部１７と、オーディオフィルタ４’と、オーディオデコーダ５’と、ビデオフィルタ６’と、ビデオデコーダ７’と、データフィルタ８’と、データデコーダ９’とを含む。ＤＴＶチューナ１６への入力は、ダイバーシティアンテナ１’から分配される。
【００３２】
ＤＴＶチューナ１６は、ＤＴＶチューナ２、２’とは独立して選局可能であり、ダイバーシティアンテナ１’から地上デジタル放送信号を受信し選局を行う。選局は、ＣＰＵ４９から周波数データが送られることで行われる。復調部１７は、ＤＴＶチューナ１６から入力される選局された信号を復調、エラー訂正し、ＴＳを出力する。なお、ＤＴＶチューナ１６専用のアンテナをダイバーシティアンテナ１、１’とは別に車両に設けてもよい。
【００３３】
出力されたＴＳは、データフィルタ８’へ入力され、ＮＩＴ等のデータがデータデコーダ９’から出力される。なお、オーディオフィルタ４’、オーディオデコーダ５’、ビデオフィルタ６’及びビデオデコーダ７’は、バックグラウンドサーチを行う用途では不要であるが、例えば、ビデオデコーダ７’の後段に映像処理部１３を接続し、映像処理部１３でピクチャ・イン・ピクチャ処理を行うようにすれば、異なった物理チャンネルの放送映像を同時に見ることができる。
【００３４】
また、例えば、オーディオデコーダ５、ビデオデコーダ７、オーディオデコーダ５’、及びビデオデコーダ７’が出力する映像音声信号をＨＤＤ（Hard Disk Drive）５３で記録するようにすれば、異なった物理チャンネルの放送番組（＝コンテンツ）を同時に録画することも可能である。
【００３５】
ラジオ用チューナ／復調部２１は、車両に設けられるＡＭ／ＦＭラジオ用アンテナ２０に接続され、ＡＭ／ＦＭラジオ用アンテナ２０からラジオ放送信号を受信し選局を行い、選局された信号を復調し、音声信号を端子Ａ−２に出力する。
【００３６】
交通情報受信デコード部４１は、車両に設けられる交通情報受信用アンテナ４０に接続され、交通情報受信用アンテナ４０から交通情報信号を受信しデコードを行い、交通情報を出力する。
【００３７】
測位航法装置４３は、車両に設けられるＧＰＳアンテナ４２に接続され、ＧＰＳアンテナ４２からＧＰＳ信号を受信し、車両位置情報及び車速情報を生成し出力する。
【００３８】
慣性航法装置４５は、車両に設けられる３軸加速度センサ４４に接続され、３軸加速度センサ４４から検出信号を受信し、加速度情報及び車速情報を生成し出力する。
【００３９】
車速パルス処理部４７は、車速パルス入力端子４６に接続され、車速パルス入力端子４６を介して車両から入力される車速パルスをカウントし、車速情報を生成出力する。
【００４０】
ＣＤ／ＤＶＤドライブ２２は、ＣＤまたはＤＶＤから映像音声信号を再生し、再生された映像信号を端子Ｖ−３に出力し、再生された音声信号を端子Ａ−３に出力する。描画部５４は、ナビゲーション用映像信号を生成し端子Ｖ−２に出力する。音声処理部５５は、経路案内に必要な音声信号等を生成しミキサイコライザ２４に出力する。
【００４１】
映像ソースセレクタ３０は、端子Ｖ−１、Ｖ−２、Ｖ−３から映像表示装置３１への経路を切り替えることで、映像表示装置３１に表示させる信号ソースを切り替える。映像表示装置３１は、ＬＣＤなどで構成される。
【００４２】
音声ソースセレクタ２３は、端子Ａ−１、Ａ−２、Ａ−３からミキサイコライザ２４への経路を切り替えることで、スピーカ２６から音声出力させる信号ソースを切り替える。ミキサイコライザ２４は、複数の音声ソースをミックスする機能や、音声信号の周波数特性を変化させる機能を有する。パワーアンプ２５は、ミキサイコライザ２４から入力される音声信号の電力を増幅させ、スピーカ２６は、電力増幅された音声信号に基づき音声を発生する。
【００４３】
また、操作入力部４８は、不図示のハードキー、タッチパネル並びにリモコン受光部を含み、ユーザの操作による操作信号を出力する。ＣＰＵ４９は、各種演算、処理、制御を行う演算処理装置である。ＲＡＭ５０は、ＣＰＵ４９のワークメモリ等に用いられる。ＲＯＭ５１は、ＣＰＵ４９が実行する制御プログラムを格納する。フラッシュメモリ５２は、給電がなくても情報を保持する記憶装置である。ＨＤＤ５３は、ナビゲーション用地図データや楽曲ファイル等を格納する大容量の記憶装置である。
＜バックグラウンドサーチ処理について＞
次に、カーナビゲーションシステム９０により行われるバックグラウンドサーチ処理について、図３のフローチャートを用いて説明する。
【００４４】
車両においてイグニッションキーが回され、アクセサリー電源がカーナビゲーションシステム９０に供給されると、サーチ用受信回路ブロック８０にも電源が供給され、図３のフローチャートが開始される。
【００４５】
まず、ステップＳ１で、ＣＰＵ４９は、選局チャンネル指定用の変数である変数Ｎを、１３に設定する。次に、ステップＳ２で、ＣＰＵ４９は、独立してタイムアウト時間を設定できる第１タイマ及び第２タイマ（いずれも不図示）をリセットする。第１タイマは、復調同期のタイムアウトを検出するためのタイマである。第２タイマは、ＮＩＴ取得のタイムアウトを検出するためのタイマである。
【００４６】
次に、ステップＳ３で、ＣＰＵ４９は、物理チャンネルがＮチャンネル（初期は１３チャンネル）の周波数データをＤＴＶチューナ１６に送り、ＤＴＶチューナ１６にＮチャンネルを選局させる。
【００４７】
次に、ステップＳ４で、ＣＰＵ４９は、第１タイマをスタートさせる。次に、ステップＳ５で、ＣＰＵ４９は、ＤＴＶチューナ１６が復調同期したか否かを確認する。復調同期していない場合（ステップＳ５のＮ）、ステップＳ６に進み、ＣＰＵ４９は、第１タイマがタイムアウトしたか否かを確認する。
【００４８】
タイムアウトしていなければ（ステップＳ６のＮ）、ステップＳ５に戻り、ＣＰＵ４９は、ＤＴＶチューナ１６が復調同期したかを再度確認する。そして、復調同期せずに第１タイマがタイムアウトすれば（ステップＳ６のＹ）、ステップＳ７に進み、ＣＰＵ４９は、第１タイマをストップし、後述するステップＳ１４に進む。
【００４９】
一方、第１タイマがタイムアウトする前にＤＴＶチューナ１６が復調同期すれば（ステップＳ５のＹ）、ステップＳ８に進み、ＣＰＵ４９は、第２タイマをスタートさせる。そして、ステップＳ９で、ＣＰＵ４９は、データデコーダ９’からＮＩＴを取得することを試みると共に、復調部１７から受信状態の指標となるＣ／Ｎ（Carrier to Noise ratio）及びＢＥＲ（Bit Error Rate）を取得する。
【００５０】
次に、ステップＳ１０で、ＣＰＵ４９は、ＮＩＴが取得できたか否かを判定する。取得できていなければ（ステップＳ１０のＮ）、ステップＳ１１に進み、ＣＰＵ４９は、第２タイマがタイムアウトしたか否かを確認する。
【００５１】
タイムアウトしていなければ（ステップＳ１１のＮ）、ステップＳ９に戻り、ＣＰＵ４９は、再度ＮＩＴの取得を試み、Ｃ／Ｎ及びＢＥＲを取得する。そして、第２タイマがタイムアウトする前にＮＩＴを取得できれば（ステップＳ１０のＹ）、ステップＳ１３に進む。
【００５２】
ステップＳ１３で、ＣＰＵ４９は、取得したＮＩＴに含まれるネットワークＩＤ（＝放送局識別情報）及び取得したＣ／Ｎを、現在の選局チャンネル（＝Ｎチャンネル）と対応付けてＲＡＭ５０に保存する。なおネットワークＩＤは、放送局を識別するためのコードである。
【００５３】
一方、ステップＳ１１で、ＮＩＴを取得できないまま第２タイマがタイムアウトすれば（ステップＳ１１のＹ）、ステップＳ１２に進む。ステップＳ１２で、ＣＰＵ４９は、第２タイマをストップし、取得したＣ／Ｎを現在の選局チャンネル（＝Ｎチャンネル）と対応付けてＲＡＭ５０に保存する。
【００５４】
なお、ステップＳ１２で、ＣＰＵ４９は、前回処理時に現在と同じ選局チャンネルでネットワークＩＤが取得できており、ＲＡＭ５０にこのネットワークＩＤが保存されているか否かを確認する形態でもよい。この形態の場合、保存されていれば、このネットワークＩＤを今回取得できたネットワークＩＤとして、現在の選局チャンネルに対応付けて、ＲＡＭ５０に保存する。保存されていなければ、ＲＡＭ５０において、ネットワークＩＤはブランクにしておく。
【００５５】
なお、復調同期せずに第１タイマがタイムアウトした場合（ステップＳ６のＹ）、ＲＡＭ５０において現在の選局チャンネルに対応するネットワークＩＤ、Ｃ／Ｎ、及びＢＥＲはブランクとなる。
【００５６】
ステップＳ１０で時間内にＮＩＴが取得できた場合と、ステップＳ６で第１タイマがタイムアウトした場合と、ステップＳ１１で第２タイマがタイムアウトした場合と、のいずれの場合も、ステップＳ１４に進む。
【００５７】
ステップＳ１４で、ＣＰＵ４９は、変数Ｎを一つインクリメントする。そしてステップＳ１５で、ＣＰＵ４９は、変数Ｎが６２を超えているか否かを判定する。変数Ｎが６２以下の場合（ステップＳ１８のＮ）、ステップＳ２に戻り、インクリメントされた変数Ｎに対応するＮチャンネルで選局を行い、上記と同様の処理を再び行う。
【００５８】
ステップＳ１５で、変数Ｎが６２を超える場合（ステップＳ１５のＹ）、ステップＳ１６に進む。ステップＳ１６で、ＣＰＵ４９は、ＲＡＭ５０に記録されている受信可能チャンネルテーブルを更新する。
【００５９】
具体的には例えば、上記の処理で保存された１３ｃｈ〜６２ｃｈの物理チャンネルに対応するネットワークＩＤ及びＣ／Ｎ（＝受信状態情報）に基づき、ネットワークＩＤをキーとして、物理チャンネルとＣ／Ｎとを組とする。そして、Ｃ／Ｎの値が大きい順（即ち受信状態が良好な順）にソートする。これにより、新たな受信可能チャンネルテーブルに更新する。
【００６０】
このとき、Ｃ／Ｎの値が所定の水準以下のものしかないネットワークＩＤについては、受信可能チャンネルテーブルに含めないようにする形態でもよい。また、更新された受信可能チャンネルテーブルと、前回の受信可能チャンネルテーブルとを比較することにより、所定のネットワークＩＤについて、前回はこのネットワークＩＤに対応していたが今回は対応していない物理チャンネルを検索する形態でもよい。
【００６１】
この形態の場合、上記の条件で検索された物理チャンネルを、新たな受信可能チャンネルテーブルにおいて、上記のネットワークＩＤに対応する物理チャンネルの最後尾に位置させる。なお、この物理チャンネルに対応するＣ／Ｎはブランクとする。
【００６２】
また、ステップＳ１６において、前回に保存された１３ｃｈ〜６２ｃｈまでの物理チャンネル毎のネットワークＩＤ及びＣ／Ｎは消去する形態でもよい。
【００６３】
ステップＳ１６の後は、ステップＳ１に戻り、Ｎを１３に設定し、再度サーチ処理を開始する。
【００６４】
以上のように、地上デジタル放送における全受信帯域に相当する物理チャンネルである１３ｃｈから６２ｃｈを、順次選局しながらＮＩＴ及びＣ／Ｎの取得を試み、受信可能チャンネルテーブルを更新する処理を、常にバックグラウンドで行う。
＜視聴用受信回路の選局タイミングについて＞
次に、上記の動作と並行して実施する、視聴用受信回路ブロック７０の処理について、図２を用いながら説明する。視聴用受信回路ブロック７０において選局中のチャンネル（以下、「視聴中チャンネル」という）の受信状態が悪くなった場合、上記のバックグラウンドサーチで受信可能チャンネルテーブルに登録された物理チャンネル（以下、「中継／系列局チャンネル」という）に選局移行させる必要がある。この条件及びタイミングを示したのが、図２である。
【００６５】
なお、視聴中チャンネルと異なるネットワークＩＤを持つ物理チャンネルであっても、予め同系列の放送局であることが確認されている物理チャンネルであれば、中継／系列局チャンネルとして用いることが可能である。
【００６６】
図２の最上段は、時間経過に応じた、番組本編（＝本編コンテンツ）と番組本編以外との進行状況を示している。図２の中段のグラフは、時間推移に応じた受信状態の変化を示している。図２の最下段は、従来技術の選局移行タイミングと本発明の選局移行タイミングとを示している。
【００６７】
本発明では、図２の最上段に示す、番組本編が受信されている期間（以下、「本編期間」という）と、それ以外の期間（以下、「本編外期間」という）とを判別する。そして、できる限り本編外期間において選局移行するよう、制御を行う。
【００６８】
なお本編外期間とは、番組本編と直接関わりがない放送期間であり、従って番組名や番組管理情報等から特定できない放送を受信している期間である。例えば、コマーシャル放送や番組宣伝放送等を受信している期間が本編外期間に相当する。
【００６９】
具体的な判別方法としては、例えば、音声のステレオ／モノラル（＝音声の種別）が切り替わる時点や、映像の色調や輝度（＝映像の解析結果）が急激に変化する時点を本編期間と本編外期間との切り替え点とし判別する。或いは無音時間の長さ等を用いて切り換え点を検出し判別する形態でもよい。なお各判別方法の詳細については従来技術と同様であるため、ここでは説明を省略する。
【００７０】
図２の中段に示すように、本発明では、受信状態を判別するのにビタビ後ＢＥＲを用いる。上にいくほど、つまり値が大きくなるほど、受信状態が悪くなる。物理チャンネルの受信状態の指標の一つであるビタビ後ＢＥＲは、移動時において、時間経過とともに電界強度の変化や、フェージングまたはマルチパスの変化に伴い、値が変化する。
【００７１】
図２の中段のグラフにおける二本の曲線のうち、実線曲線は、視聴中チャンネル（例えば１８ｃｈの親局）のビタビ後ＢＥＲ推移を示している。また破線曲線は、バックグラウンドサーチ等で見つかった中継／系列局チャンネル（例えば２７ｃｈの中継局）のビタビ後ＢＥＲ推移を示している。
【００７２】
ただし、サーチ用受信回路ブロック８０は所定の物理チャンネルを連続受信している訳ではない。よって図２に示す破線曲線の値は、所定の時間間隔で適宜補間を行った値となっている。
【００７３】
図２の例では、時間経過とともに、視聴中チャンネルの受信状態が徐々に悪化して行き、ビタビ後ＢＥＲが大きくなっている。逆に中継／系列局チャンネルの受信状態が良くなり、ビタビ後ＢＥＲが徐々に小さくなっている。ビタビ後ＢＥＲが大きくなると、やがて受信限界（図中の三つの水平破線の上段）を上回る。
【００７４】
従来技術では、この受信限界より少しマージンを持たせたマージンＡ（＝第一指標、図中の三つの水平破線の中段）を設定していた。そしてマージンＡよりもビタビ後ＢＥＲが大きくなった時点で、中継／系列局チャンネルに選局していた。これに対して本発明では、マージンＡよりも更にマージンを持たせたマージンＢ（＝第二指標、図中の三つの水平破線の下段）を設定する。
【００７５】
図２の最下段は、マージンＡ及びマージンＢを用いた選局移行タイミングを示している。最下段の上側は、従来技術における選局移行タイミングを示している。最下段の下側は、本発明における選局移行タイミングを示している。従来技術では、上側に示すように、視聴中チャンネルの受信状態が所定のマージンＡを上回った時点で、本編外期間であるか否かを考慮することなく、選局移行していた。
【００７６】
これに対して本発明は、視聴中チャンネルが本編外期間に移行したタイミング（＝図２の矢印ａ）で、視聴中チャンネルのＢＥＲがマージンＢを超えるか否かを判定する。そしてマージンＢを超える場合、マージンＡを超えていなくても、選局移行を行う。
【００７７】
このように、本編外期間において選局を行うことにより、選局に起因する映像／音声の途切れを本編外期間において発生させる。これにより、本編期間において映像／音声の途切れが発生するのを回避することができる。
＜選局処理フローについて＞
次に、上記の選局移行タイミングに基づいて実施する選局処理の処理フローについて、図４のフロー図を用いながら説明する。図４に示す処理フローは、例えば、操作入力部４８に含まれるハードキーの操作により視聴モードへの移行が行われ、ＣＰＵ４９の制御により視聴用受信回路ブロック７０に電源が供給された場合に開始される。
【００７８】
ステップＳ２１で、ＣＰＵ４９は、前回の視聴モード終了時、或いはイグニッションキーをオフにしたときのチャンネル番号（いわゆるラストチャンネル）を、フラッシュメモリ５２から読み出す。そして読み出したチャンネル番号に対応するネットワークＩＤを、チャンネルリストから検索する。
【００７９】
なお、本実施形態におけるチャンネルリストとは、チャンネル番号とネットワークＩＤとを対応させたリストであり、フラッシュメモリ５２に格納される。ＣＰＵ４９は、現時点での受信可能チャンネルテーブルにおいて、上記で検索されたネットワークＩＤに対応する物理チャンネルのうち、先頭の物理チャンネルを特定する。
【００８０】
ＣＰＵ４９は、特定した物理チャンネルの周波数データをＤＴＶチューナ２、２’に送り、ＤＴＶチューナ２、２’に選局させる。すると、オーディオデコーダ５及びビデオデコーダ７から出力される映像音声信号により、映像表示装置３１に放送映像が表示されると共に、スピーカ２６から放送音声が出力される。
【００８１】
次に、ステップＳ２２で、ＣＰＵ４９は、ユーザによる選局操作が検知されたか否かを判定する。選局操作が検知されていない場合（ステップＳ２２のＮ）、後述するステップＳ２４へ移行する。これにより、視聴中チャンネルの受信状態が受信限界に到達するまで、現在の選局チャンネルが継続される。
【００８２】
選局操作が検知された場合（ステップＳ２２のＹ）、ステップＳ２３で、ＣＰＵ４９は、選局操作により指定されたチャンネルに選局するとともに、ラストチャンネルをフラッシュメモリ５２に格納する。
【００８３】
次に、ステップＳ２４で、ＣＰＵ４９は、視聴中チャンネルのＣ／Ｎ及びＢＥＲを復調器３から取得する。そしてステップＳ２５で、視聴中チャンネルが本編期間であるか否かを判定する。なおこの判定は、上述した、本編期間と本編外期間との判別技術を用いて行う。
【００８４】
本編期間である場合（ステップＳ２５のＹ）、ステップＳ２９で、ＣＰＵ４９は、現在視聴中チャンネルのビタビ後ＢＥＲがマージンＡを超えているか否かを判定する。マージンＡを超えている場合（ステップＳ２９のＹ）、後述するステップＳ２７へ移行する。マージンＡを超えていない場合（ステップＳ２９のＮ）、ステップＳ３０で、ＣＰＵ４９は、所定のウエイト時間を持たせた後、ステップＳ２２に再び戻り、上記の一連の動作を繰り返す。
【００８５】
本編期間ではない場合（ステップＳ２５のＮ）、ステップＳ２６で、ＣＰＵ４９は、視聴中チャンネルのビタビ後ＢＥＲがマージンＢを超えているか否かを判定する。マージンＢを超えていない場合（ステップＳ２６のＮ）、ステップＳ３０へ移行する。マージンＢを超えている場合（ステップＳ２６のＹ）、ステップＳ２７で、ＣＰＵ４９は、視聴中チャンネルより受信状態の良い中継／系列局チャンネルがあるか否かを確認する。
【００８６】
受信状態の良い中継／系列局チャンネルがある場合（ステップＳ２７のＹ）、ステップＳ２８で、ＣＰＵ４９は、中継／系列局チャンネルへの選局を行うよう、視聴用受信回路ブロック７０を制御する。選局が完了すると、ステップＳ３０へ移行する。受信状態の良い中継／系列局チャンネルがない場合（ステップＳ２７のＮ）、選局は行わず、ステップＳ３０へ移行する
以上に説明した本実施形態によれば、本編期間においてマージンＡを超えるか、或いは本編外期間においてマージンＢを超えた場合に、視聴中チャンネルよりも受信状態の良い中継／系列局チャンネルへ選局移行を行う。
【００８７】
このため、移動等により受信状態が悪化しても、直ちに受信状態の良い中継／系列局チャンネルへ切り替えることができる。また、本編期間に選局移行が発生して映像が途切れ、ユーザの視聴の妨げとなる確率を低減できるので、ユーザは放送番組を良好な状態で視聴することができる。
＜その他の実施の形態＞
以上、好ましい実施の形態及び実施例をあげて本発明を説明したが、本発明は必ずしも上記実施の形態に限定されるものではなく、その技術的思想の範囲内において様々に変形して実施することができる。
【００８８】
従って本発明は、以下の形態にも適用可能である。
【００８９】
（Ａ）上記実施形態では、本発明の番組検出処理を実施するデジタル放送受信装置として、カーナビゲーションシステム９０を例に説明しているが、これ以外のデジタル放送受信装置において実施する形態でもよい。例えば、ポータブルテレビやテレビ受信機能付き携帯電話等で実施する形態でもよい。
【００９０】
（Ｂ）上記実施形態では、ＮＩＴ取得時のタイムアウト時間の長さについては特に明示していないが、サーチしている物理チャンネルの受信状態が悪い場合、良好な場合と比べてこのタイムアウト時間を短くする形態でもよい。例えば、図３ステップＳ２における第２タイマのセット時間を短くする。これにより、例えば移動速度が速いため受信状態の変動が大きく、所定時間内に安定してＮＩＴ取得ができない場合に、早い段階でＮＩＴ取得を諦め、巡回サーチの次のタイミングで、再びＮＩＴ取得を試みることができる。結果として、受信候補チャンネルリストの完成を速めることができる。
【００９１】
（Ｃ）上記実施形態では、１セグ／１２セグ（＝視聴階層）の切り替えについては特に明示していないが、視聴している物理チャンネルの受信状態が悪化した場合に１セグ放送に切り替え、受信状態が良好になった場合に１２セグ放送に切り替えるデジタル放送受信装置において、本発明を実施する形態でもよい。この場合、マージンＡ及びマージンＢを、１セグと１２セグとで、変調方式や伝送パラメータに応じて個別に設ける。
【００９２】
（Ｄ）上記実施形態では、視聴用受信回路ブロック７０とサーチ用受信回路ブロック８０との二つの受信回路ブロックを用いているが、視聴用受信回路ブロック７０のみを備えるカーナビゲーションシステム９０において、本発明の構成を適用する形態でもよい。
【００９３】
（Ｅ）上記実施形態では、図２において受信限界、マージンＡ、及びマージンＢを水平破線で示し、ビタビ後ＢＥＲがマージンＡ、またはマージンＢを超えたタイミングで選局動作を行っているが、必ずしも各マージンが固定値である必要はない。例えば、ビタビ後ＢＥＲに応じて重み付けられた係数を時間経過とともに積算し、積算値が所定の閾値を超えたタイミングで、選局動作を行う形態でもよい。
【００９４】
（Ｆ）上記実施形態では、本編外期間の一例としてコマーシャルや番組宣伝を例に説明を行っているが、これ以外の放送が行われている期間を本編外期間とみなす形態でもよい。例えばユーザが視聴中の番組の放送終了が検知され、且つＥＰＧにおいて次に放送予定されている番組の開始時刻が到来していない場合に、本編外期間とみなす形態でもよい。
【符号の説明】
【００９５】
１、１’  ダイバーシティアンテナ
２、２’  ＤＴＶチューナ（チューナ、第一チューナ）
３        復調／合成部（復調部）
４、４’  オーディオフィルタ
５、５’  オーディオデコーダ
６、６’  ビデオフィルタ
７、７’  ビデオデコーダ
８、８’  データフィルタ
９、９’  データデコーダ
１１      Ｄ／Ａコンバータ
１２      ＬＰＦ／ドライバ
１３      映像処理部
１４      Ｄ／Ａコンバータ
１５      ＬＰＦ／ドライバ
１６      ＤＴＶチューナ（チューナ、第二チューナ）
１７      復調部
２３      音声ソースセレクタ
２４      ミキサイコライザ
２５      パワーアンプ
２６      スピーカ
３０      映像ソースセレクタ
３１      映像表示装置
４９      ＣＰＵ（制御部）
５０      ＲＡＭ
６０      デジタル放送受信ブロック
７０      視聴用受信回路ブロック
８０      サーチ用受信回路ブロック
９０      カーナビゲーションシステム（放送受信装置）
【図１】
2012205224.tif 000003
【図２】
2012205224.tif 000004
【図３】
2012205224.tif 000005
【図４】
2012205224.tif 000006